(57)【要約】      （修正有）【課題】簡単、安全、且つ安価な方法で高齢者などの見守りを行うことができる見守り媒体を提供する。【解決手段】見守り対象者が所持し、見守り対象者の見守りに用いられる見守り媒体（連絡シート２１）であって、見守りを目的とする媒体であるとの記述３１と、見守り対象者の登録番号３３と、連絡先３５と、更新時期３７とが印刷あるいは刻印され、記述３１は、登録番号の右側に位置し、連絡先は、記述３１の下側に位置する。高齢者見守りセンターは、見守り対象である高齢者の緊急連絡先や医療情報を事前に登録し、高齢者を一意に識別できる登録番号を発行する。登録番号は、高齢者見守りセンターを特定するためのデータと、見守り対象者固有の識別情報と、乱数値（なりすまし防止）とで構成されている。連絡先は、高齢者見守りセンターの電話番号である。【選択図】図２
0003196020.tif 000002
【実用新案登録請求の範囲】
【請求項１】
見守り対象者が所持し、当該見守り対象者の見守りに用いられる見守り媒体であって、
前記見守り対象者の見守りを目的とする媒体であるとの記述と、
前記見守り対象者の登録番号と、
連絡先と、
を印刷あるいは刻印した見守り媒体。
【請求項２】
前記登録番号は、前記前記見守り対象者を管轄するセンターを特定するためのデータと、前記見守り対象者固有の識別情報と、乱数値とで構成され、
前記連絡先は前記センターの電話番号である
請求項１に記載の見守り媒体。
【請求項３】
前記見守り媒体の更新時期
をさらに印刷あるいは刻印した請求項１又は請求項２に記載の見守り媒体。
【請求項４】
前記登録番号と前記見守り対象者の連絡先とを関連付けたデータがサーバに記憶されている
請求項１〜３のいずれかに記載の見守り媒体。
【考案の詳細な説明】
【技術分野】
【０００１】
本考案は、高齢者等の見守りに用いることができる見守り媒体に関する。
【背景技術】
【０００２】
従来、子供の誘拐，迷子や高齢者（監視対象人物）の徘徊を監視するために、ＧＰＳ（
Ｇｌｏｂａｌ Ｐｏｓｉｔｉｏｎｉｎｇ Ｓｙｓｔｅｍ）機能を有する携帯端末を子供や高齢者に持たせて、この携帯端末から子供や高齢者の位置情報，及び移動速度情報を無線により送信させる方法が行われている。
【０００３】
この携帯端末から送信される各情報は、監視サーバで受信され、予め登録されている予想行動範囲や移動速度と比較される。そして、携帯端末から送信された情報が示す内容が、予め登録されている予想行動範囲から逸脱した場合には、この監視サーバから子供や高齢者の保護者に警告が通知される。
【０００４】
この場合には、監視対象人物の異常な行動を素早く把握できるため、誘拐，迷子や徘徊などの事態に素早く対応することができる。
【考案の開示】
【考案が解決しようとする課題】
【０００５】
しかしながら、上記の方法では、監視対象人物（見守り対象）が携帯端末を持つ必要があり、携帯端末を必要としない簡易且つ低価格なサービスが求められている。
また、地域で、監視センターを設けた場合に、監視センターと監視対象者との間で顔が見えるコミュニケーションをとることを促進したいという要請がある。
【０００６】
本考案は、このような問題を鑑みて案出されたものであり、簡単、安全、且つ安価な方法で高齢者などの見守りを行うことができる見守り媒体を提供することを目的とする。
【課題を解決するための手段】
【０００７】
上述した従来技術の問題点を解決し、上述した目的を達成するため、本考案の見守り媒体は、見守り対象者が所持し、当該見守り対象者の見守りに用いられる見守り媒体であって、前記見守り対象者の見守りを目的とする媒体であるとの記述と、前記見守り対象者の登録番号と、連絡先とを印刷している。
【０００８】
好適には、本発明の見守り媒体の前記登録番号は、前記前記見守り対象者を管轄するセンターを特定するためのデータと、前記見守り対象者固有の識別情報と、乱数値とで構成され、前記連絡先は前記センターの電話番号である。
【０００９】
好適には、本発明の見守り媒体は、前記見守り媒体の更新時期をさらに印刷している。
好適には、本発明の見守り媒体は、前記登録番号と、前記見守り対象者の連絡先とを関連付けたデータがサーバに記憶されている。
【考案の効果】
【００１０】
本考案によれば、簡単、安全、且つ安価な方法で高齢者などの見守りを行うことができる見守り媒体を提供することができる。
【考案を実施するための最良の形態】
【００１１】
以下、本考案の実施形態に係る高齢者見守りシステムを、図面を参照しながら説明する。
図１は、本考案の実施形態に係る高齢者見守りシステム１の全体構成図である。
図１に示すように、高齢者見守りシステム１は、例えば、高齢者見守りセンター３が所有する電話１１及びコンピュータ１３と、サーバ１５とを用いて実現される。
【００１２】
高齢者見守りセンター３は、見守り対象である高齢者（見守り対象者）の緊急連絡先や医療情報を事前に登録し、当該高齢者を一意に識別できる登録番号を発行する。
【００１３】
図２は、高齢者見守りシステム１で使用される連絡シート２１の外観図である。
図２に示すように、連絡シート２１には、連絡シートの所持している見守り対象者の見守りを目的とする媒体であるとの記述３１と、見守り対象者の登録番号３３と、高齢者見守りセンター３の連絡先３５と、更新時期３７とが印刷されている。
【００１４】
見守り対象者の登録番号３３は、高齢者見守りセンター３を特定するためのデータと、見守り対象者固有の識別情報と、乱数値（なりすまし防止）とで構成されている。
また、高齢者見守りセンター３の連絡先３５は、高齢者見守りセンター３の電話番号である。
【００１５】
高齢者見守りセンター３は、見守り対象者の登録時に、見守り対象者の氏名、住所、緊急連絡先、医療情報等を取得し、これを登録番号と対応付けてサーバ１５に格納する。
【００１６】
図３は、高齢者見守りシステム１の使用形態を説明するためのフローチャートである。
以下、各ステップを説明する。
ステップＳＴ１：
高齢者見守りセンター３は、見守り対象である高齢者（見守り対象者）の緊急連絡先や医療情報を事前に登録し、当該高齢者を一意に識別できる登録番号を発行する。
また、高齢者見守りセンター３は、図２に示す連絡シート２１、あるいは連絡シート２１が付されたキーホルダーを発行する。
【００１７】
ステップＳＴ２：
見守り対象者５１は、外出時等に図２に示す連絡シート２１、あるいは連絡シート２１が付されたキーホルダーを持参する。このとき、連絡シート２１やキーホルダーは、見守り対象者５１が保護されたときに目に着きやすい位置に装着される。
【００１８】
ステップＳＴ３：
見守り対象者５１が保護されると、ステップＳＴ３に進む。
【００１９】
ステップＳＴ４：
見守り対象者５１を保護した人５３が、連絡シート２１やキーホルダーの図２に示す見守りを目的とする媒体であるとの記述３１と高齢者見守りセンター３の連絡先３５とを見て、高齢者見守りセンター３の電話１１に電話をし、見守り対象者５１の登録番号３３を伝える。
【００２０】
ステップＳＴ５：
高齢者見守りセンター３は、ステップＳＴ４で電話で受けた見守り対象者５１の登録番号３３を基に、サーバ１５にアクセスを行い、見守り対象者５１の氏名、住所、緊急連絡先、医療情報等を取得する。
【００２１】
ステップＳＴ６：
高齢者見守りセンター３は、ステップＳＴ５で取得した情報を基に、緊急連絡先５５に電話をする等の手続を行う。
【００２２】
以上説明したように、高齢者見守りシステム１によれば、見守り対象者５１は、キーホルダーを身に付けておくことで、外出先で突然倒れるなで、救急搬送・保護された際等に、医療機関や警察からの紹介に対し、迅速に情報提供ができる。また、マグネットを自宅の冷蔵庫等に貼っておくことで、自宅での急変時に救急隊からの紹介に対しても対応できる。
【００２３】
高齢者見守りシステム１によれば、見守り対象者５１が所持する連絡シート２１には、見守り対象者５１の緊急連絡先や氏名等の個人情報が印刷されていないため、これらの情報を悪用されることを防止できる。
【００２４】
また、高齢者見守りシステム１によれば、見守り対象者５１を保護した人３３が連絡シート２１の見守りを目的とする媒体であるとの記述３１と高齢者見守りセンター３の連絡先３５とを見て、高齢者見守りセンター３に連絡をし、高齢者見守りセンター３がサーバ１５にアクセスをすることで、見守り対象者５１の最新情報を適切な相手に伝えることができる。
【００２５】
また、高齢者見守りシステム１によれば、連絡シート２１に更新時期３７を記載し、定期的に更新手続をすることで、サーバ１５に記憶されている見守り対象者５１に関する情報を更新できる。
【００２６】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２７】
上述した実施形態では、本考案の見守り媒体を高齢者見守りに用いた場合を例示したが、障害者の見守りに適用してもよい。
また、見守り媒体は、冷蔵庫に貼るマグネットシート等でもよい。
また、見守り媒体は、見守り対象者が携帯するつえ、首、鞄、財布、ペンダント等に装着してもよい。
また、上述した実施形態では、連絡シート２１に各種情報を印刷した場合を例示したが、一部あるいは全ての情報を刻印するようにしてもよい。
【００２８】
また、上述した実施形態では高齢者の見守りを例示したが子供の見守りシステムに適用してもよい。
【図面の簡単な説明】
【００２９】
【図１】図１は、本考案の実施形態に係る高齢者見守りシステムの全体構成図である。
【図２】図２は、高齢者見守りシステムで使用される連絡シートの外観図である。
【図３】図３は、高齢者見守りシステムの使用形態を説明するためのフローチャートである。
【符号の説明】
【００３０】
１…高齢者見守りシステム
３…高齢者見守りセンター
１０…コンピュータ
１１…電話
１５…サーバ
２１…連絡シート
３１…見守りを目的とする媒体であるとの記述
３３…見守り対象者の登録番号
３５…連絡先
３７…更新時期
５１…見守り対象者
５３…保護した人
５５…緊急連絡先
【図１】
0003196020.tif 000003
【図２】
0003196020.tif 000004
【図３】
0003196020.tif 000005
【手続補正書】
【提出日】平成26年12月4日(2014.12.4)
【手続補正１】
【補正対象書類名】実用新案登録請求の範囲
【補正対象項目名】全文
【補正方法】変更
【補正の内容】
【実用新案登録請求の範囲】
【請求項１】
見守り対象者が所持し、当該見守り対象者の見守りに用いられる見守り媒体であって、
前記見守り対象者の見守りを目的とする媒体であるとの記述と、
前記見守り対象者の登録番号と、
連絡先と、
を印刷あるいは刻印し、
前記記述は、前記登録番号の右側に位置し、
前記連絡先は、前記記述の下側に位置する
見守り媒体。
【請求項２】
前記登録番号は、前記前記見守り対象者を管轄するセンターを特定するためのデータと、前記見守り対象者固有の識別情報と、乱数値とで構成され、
前記連絡先は前記センターの電話番号である
請求項１に記載の見守り媒体。
【請求項３】
前記見守り媒体の更新時期
をさらに印刷あるいは刻印した請求項１又は請求項２に記載の見守り媒体。
【請求項４】
前記登録番号と前記見守り対象者の連絡先とを関連付けたデータがサーバに記憶されている
請求項１〜３のいずれかに記載の見守り媒体。
【手続補正２】
【補正対象書類名】明細書
【補正対象項目名】０００７
【補正方法】変更
【補正の内容】
【０００７】
上述した従来技術の問題点を解決し、上述した目的を達成するために、本考案の見守り媒体は、見守り対象者が所持し、当該見守り対象者の見守りに用いられる見守り媒体であって、前記見守り対象者の見守りを目的とする媒体であるとの記述と、前記見守り対象者の登録番号と、連絡先と、を印刷あるいは刻印し、前記記述は、前記登録番号の右側に位置し、前記連絡先は、前記記述の下側に位置する。